(57)【特許請求の範囲】
【請求項１】
赤外線、または、遠赤外線を放射する複数の発熱源と、各発熱源に近接して設けた複数のサーモスタットとを収容配設したヘッドケーシングと、同ヘッドケーシングをコネクタを介して回動自在に保持するスタンド本体とを具備する赤外線治療器において、
前記発熱源は、前記ヘッドケーシングの奥面に取付けた反射板に、断熱材を介して、赤外線プレートを前面に設けたヒータ部を取付け、このヒータ部を、共に同一の消費電力の第一ヒータと第二ヒータとにより左右別個の独立した構成とするとともに、前記反射板の裏面には、前記第一、第二ヒータにそれぞれ対応する第一、第二サーモスタットを取付け、
前記ヘッドケーシングを９０度回転させて、前記複数の発熱源を縦並びの状態で使用可能とし、しかも、縦並びにした場合に、上下方向に配設される前記複数の発熱源に対応する前記複数のサーモスタットの各駆動温度を、上方のサーモスタットよりも下方のサーモスタットが高くなるように構成したことを特徴とする複数発熱源を有する赤外線治療器。
【請求項２】
赤外線、または、遠赤外線を放射する複数の発熱源と、各発熱源に近接して設けた複数のサーモスタットとを収容配設したヘッドケーシングと、同ヘッドケーシングをコネクタを介して回動自在に保持するスタンド本体とを具備する赤外線治療器において、
前記発熱源は、前記ヘッドケーシングの奥面に取付けた反射板に、断熱材を介して、赤外線プレートを前面に設けたヒータ部を取付け、このヒータ部を、互いに異なる消費電力の第一ヒータと第二ヒータとにより左右別個の独立した構成とするとともに、前記反射板の裏面には、前記第一、第二ヒータにそれぞれ対応し、共に同一の駆動温度に設定された第一、第二サーモスタットを取付け、
前記ヘッドケーシングを９０度回転させて、前記複数の発熱源を縦並びの状態で使用可能とし、しかも、縦並びにした場合に、上下方向に配設される前記複数の発熱源の各消費電力を、上方の発熱源よりも下方の発熱源が小さくなるように構成したことを特徴とする複数発熱源を有する赤外線治療器。
【発明の詳細な説明】
【０００１】
【発明の属する技術分野】
この発明は、複数発熱体を有する赤外線治療器に関するものである。
【０００２】
【従来の技術】
従来、発熱源として赤外線ヒータや赤外線ランプを使用して、赤外線、あるいは、遠赤外線を放射し、温熱効果を利用して血行促進をし、筋肉のこりをほぐすことのできる赤外線治療器がある。
【０００３】
かかる赤外線治療器で、家庭で簡便に使用できるようにした構造としては、支柱としてのスタンド本体にヘッドケーシングを連設し、同ヘッドケーシング内に赤外線、または、遠赤外線を放射する発熱源を収容取付えたものがあり、これは操作スイッチやタイマー等で照射時間のＯＮ・ＯＦＦや、照射時間や、サーモスタットによる照射温度等を制御している。
【０００４】
しかし、かかる従来の家庭用の赤外線治療器では、発熱源が単一であるために赤外線や遠赤外線の照射面積が限定され、小面積の患部にしか照射治療が行えない欠点があるため、本出願人は、特願平７−２８４０３４として発熱源を複数個並設した赤外線治療器を発明し特許出願した。
【０００５】
【発明が解決しようとする課題】
ところが、発熱源を複数個並設した赤外線治療器にあっては、一定の温度に昇温するとサーモスタットにより自動的に全部の発熱源に通電の切断がなされる構造とした場合、使用者が故障による停電と誤解するおそれがあり、また、発熱源が複数個あるために、不要な電力を消耗し、省エネルギーに逆行するおそれがあるなど、種々の改良点が判明したため、複数の発熱源に必要な消費電力を細かく制御したり、サーモスタットの駆動温度を細かく設定する等の必要性が生じていた。
【０００６】
そこで、本発明では、複数の発熱源を細かく制御できるようにした複数発熱源を有する赤外線治療器を提供することを目的としている。
【０００７】
【課題を解決するための手段】
この発明は、赤外線、または、遠赤外線を放射する複数の発熱源と、各発熱源に近接して設けた複数のサーモスタットとを収容配設したヘッドケーシングと、同ヘッドケーシングをコネクタを介して回動自在に保持するスタンド本体とを具備する赤外線治療器において、前記発熱源は、前記ヘッドケーシングの奥面に取付けた反射板に、断熱材を介して、赤外線プレートを前面に設けたヒータ部を取付け、このヒータ部を、共に同一の消費電力の第一ヒータと第二ヒータとにより左右別個の独立した構成とするとともに、前記反射板の裏面には、前記第一、第二ヒータにそれぞれ対応する第一、第二サーモスタットを取付け、前記ヘッドケーシングを９０度回転させて、前記複数の発熱源を縦並びの状態で使用可能とし、しかも、縦並びにした場合に、上下方向に配設される前記複数の発熱源に対応する前記複数のサーモスタットの各駆動温度を、上方のサーモスタットよりも下方のサーモスタットが高くなるように構成したことを特徴とする複数発熱源を有する赤外線治療器に係るものである。
【０００８】
また、この発明は、赤外線、または、遠赤外線を放射する複数の発熱源と、各発熱源に近接して設けた複数のサーモスタットとを収容配設したヘッドケーシングと、同ヘッドケーシングをコネクタを介して回動自在に保持するスタンド本体とを具備する赤外線治療器において、前記発熱源は、前記ヘッドケーシングの奥面に取付けた反射板に、断熱材を介して、赤外線プレートを前面に設けたヒータ部を取付け、このヒータ部を、互いに異なる消費電力の第一ヒータと第二ヒータとにより左右別個の独立した構成とするとともに、前記反射板の裏面には、前記第一、第二ヒータにそれぞれ対応し、共に同一の駆動温度に設定された第一、第二サーモスタットを取付け、前記ヘッドケーシングを９０度回転させて、前記複数の発熱源を縦並びの状態で使用可能とし、しかも、縦並びにした場合に、上下方向に配設される前記複数の発熱源の各消費電力を、上方の発熱源よりも下方の発熱源が小さくなるように構成したことを特徴とする複数発熱源を有する赤外線治療器に係るものである。
【００１２】
【実施例】
以下、添付図面を参照しながら本発明の実施例について詳述する。
【００１３】
図１〜図３に示すように、本実施例に係る赤外線治療器Ａは、一端開口に形成し、開口側に向けて赤外線、または、遠赤外線を放射するように発熱源１を収容配設したヘッドケーシング２と、同ヘッドケーシング２を保持するスタンド本体３とを具備している。
【００１４】
ヘッドケーシング２は正面視で繭形となるように形成し、内部に配設される発熱源１の外形もヘッドケーシング２と略相似形としている。20はヘッドケーシング２の開口側に着脱自在に取付けたグリルであり、また、図３中、23はヘッドケーシング２の後部周壁に２列に多数形成された空気孔であり、ヘッドケーシング２内へ空気を流通させて使用中のヘッドケーシング２内の過熱を防止するようにしている。
【００１５】
発熱源１は、図４に示すように、ヘッドケーシング２の奥面に突設したボス21に外形を繭形とした反射板10を取付けるとともに、同反射板10に同じく外形を繭形に成形した断熱材11を介して、赤外線プレート12を前面に設けた板状のヒータ部４を取付けて構成している。また、前記反射板10とヘッドケーシング２の奥面との間には空間を形成している。図４中、10a は反射板取付け用ビス、10b は同カラーである。
【００１６】
また、前記ヒータ部４は、図５に示すように、前記反射板10よりも小径とし、反射板10への取付用ねじ41a を設けた繭形のバックプレート41に、薄板状の熱伝導体として繭形に形成した一対のマイカ板42,42 によりサンドイッチ状に挟持された薄板状のヒータ基板43を、バックプレート41と同形のフロントプレート45を介してセラミックス等の赤外線発生材を塗布焼成した繭形の赤外線プレート12により挟み込んで一体的に構成している。赤外線プレート12は、その周縁部をかしめてバックプレート41に取付けている。41b はバックプレート41取付用のカラーである。
【００１７】
上記ヒータ基板43には第一、第二ヒータ線43a,43b を左右に離隔した状態でそれぞれ独立して巻回して左右別個の独立した第一、第二ヒータ4a,4b を構成しており、スタンド本体３の台座部30に設けたヒータ切換スイッチ34により、一方のみ、あるいは、両ヒータ4a,4b を同時使用することができる構成としている。
【００１８】
さらに、反射板10の裏面には、第一、第二ヒータ4a,4b 毎にそれぞれ第一、第二サーモスタット5a,5b を取付けており、第一、第二ヒータ4a,4b の温度調節をそれぞれ行えるようにしている。
【００２０】
また、本実施例では、フロントプレート45と赤外線プレート12とを別体としているが、フロントプレート45の前面に直接セラミックスを塗布焼成してもよい。
【００２１】
また、セラミックスのみで赤外線プレート12を形成してもよく、この場合は、バックプレート41の周縁部をかしめて赤外線プレート12を連結すればよい。
【００２２】
このように、発熱源１を、左右のヒータ4a,4b を互いに離隔した状態で並設したことにより、左右両方を同時に加熱すれば赤外線や遠赤外線の放射範囲が広がり、効率的な温熱治療を行うことができるとともに、患部面積が小さい場合は一方のヒータ4aのみを使用すればスポット放射ができるので、効率的な温熱治療が行える。また、スポット放射で使用する場合は、各ヒータ4a,4b を交互に使用すれば、ヒータ４の長寿命化につながる。
【００２３】
また、第一、第二ヒータ4a,4b を一対の薄板状のマイカ板42,42 で挟持して一体的に構成したことにより、ヒータ部４を複数の別体とする場合に比べて組立工数が少なくなりコスト的にも有利となる上、意匠的にも優り、美観を向上させることができる。
【００２４】
一方、スタンド本体３は、図１〜図４、図６に示すように、台座部30にヘッドケーシング２を支持連結する支柱31を突設して構成し、台座部30の表面に、電源ＯＮ・ＯＦＦ兼用のタイマスイッチ32やＬＥＤからなる通電ランプ33、及び、左、右、全面の３モードを適宜切換えて使用できるようにしたヒータ切換スイッチ34を設けている。
【００２５】
さらに、上記支柱31にフレキシブル連結杆８を突設し、同連結杆８の先端にコネクタ27を介してヘッドケーシング２の中央部を回動自在に連結している。
【００２６】
フレキシブル連結杆８は、台座部30に基端を連結したパイプの中途部をフレキシブルに形成したパイプ81を、蛇腹状に形成したカバー82で被覆して構成している。
【００２７】
かかるフレキシブル連結杆８により、図２に示すように、ヘッドケーシング２を自在に折曲することができ、任意の方向に遠赤外線を放射することが可能となっている。なお、図２においては、ヘッドケーシング２を左右方向へそれぞれ折曲した状態を示しているが、前後方向を含めて全方位に折曲自在としている。
【００２８】
また、コネクタ27は、図７に示すように、回転ヒンジ構造としており、ヘッドケーシング２を回転させる際に、クリック感を出すためのリング27c を具備している。図７中、2dは取付けボルト、27a は先端をヘッドケーシング２の後面中央に設けた摺動溝2eに遊嵌可能に形成し、後端にフレキシブルパイプ81との連結面27d を設けたコネクタ27の内側ケース、27b は同内側ケース27a に嵌着可能とした外側ケース、28a は導線引出し孔、81a はフレキシブルパイプ81の上端に形成した雄ねじ部に螺着する固定ナットである。
【００２９】
上記構成により、図８に示すように、ヘッドケーシング２を時計廻りにバランス良く90°回転させることができ、ヒータ4a,4b を縦並びの状態で使用することができる。このときに、本実施例では、ヘッドケーシング２は正面視で時計廻りにのみ回動可能としており、縦向きにする場合は、常に第二ヒータ4bが上側に位置するようにしている（図８参照）。
【００３０】
上記構成の複数発熱体を有する赤外線治療器Ａにおいて、本発明の要旨となるのは、上記複数のサーモスタットの駆動温度を異ならせたことにある。
【００３１】
また、ヘッドケーシング２を90°回動させて縦長状にして使用する場合、複数のサーモスタットの各駆動温度を、上方のサーモスタットよりも下方のサーモスタットが高くなるように設定したことに特徴がある。
【００３２】
すなわち、本実施例では、第二サーモスタット5bよりも第一サーモスタット5aの駆動温度を高くしており、例えば、第一サーモスタット5aは200 ℃を検知すると通電を遮断するようにするとともに、第二サーモスタット5bは180 ℃を検知すると通電を遮断するようにしている。また、同第二サーモスタット5bは、所定温度、例えば160 ℃を検知すると再び通電を開始するようにしている。
【００３３】
このように、第一、第二サーモスタット5a,5b の駆動温度を上記のように異ならせたことにより、第一、第二ヒータ4a,4b が作動中に同時にＯＦＦとなることを可及的に防止できる。
【００３４】
また、例えば、第一サーモスタット5aの駆動温度を190 ℃とした場合等のように、両サーモスタット5a,5b の各駆動温度の差があまりないような場合は、両ヒータ4a,4b が同時にＯＦＦとなる場合もあるが、その同時ＯＦＦの時間はきわめて短いので、使用者が故障による停電と誤解するおそれがなく、不安感や違和感をもたせることがない。
【００３５】
また、第一、第二ヒータ4a,4b を上下方に位置させて使用する場合、熱は上昇するので、上方の雰囲気温度が高くなる傾向にある。したがって、もしも下方の第一ヒータ4aが先にＯＦＦとなると、間をおくことなく続いて上方の第二ヒータ4bがＯＦＦとなるおそれがあり、これは両ヒータ4a,4b が同時ＯＦＦとなる時間を長くすることになり好ましくない。
【００３６】
そこで、このように第一、第二ヒータ4a,4b を上下方に位置させて使用する場合は、上方の第二サーモスタット5bよりも下方の第一サーモスタット5aの駆動温度を高くすることによって、確実に上方の第二ヒータ4bを先ずＯＦＦにすることができる。
【００３７】
しかも、そのとき下方の第一ヒータ4aは作動しているので、その熱が上昇し、温度の低下が急である上方の第二ヒータ4b側の雰囲気温度を補完して全体的に略均等な発熱温度にできる。したがって、その分の消費電力を小さくして省エネルギーが図れる。
【００３８】
以下、図９を参照しながら、本発明に係る複数発熱体を有する赤外線治療器Ａの温度制御について説明する。なお、図９中、ａは第一ヒータ4aの周辺雰囲気温度、ｂは第二ヒータ4bの周辺雰囲気温度を示す。
【００３９】
図９において、赤外線治療器Ａのタイマスイッチ32をＯＮとした場合、第一、第二ヒータ4a,4b は発熱を開始して(100) 発熱源１の温度が上昇する。
【００４０】
このとき、第一サーモスタット5aと第二サーモスタット5bの各駆動温度を200 ℃と180 ℃とに異ならせているので、第二サーモスタット5bが180 ℃を検知した時点で作動して第二ヒータ4bがＯＦＦとなり(110) 、第一ヒータ4a及び第二ヒータ4b周辺の雰囲気温度が徐々に低下する。特に、第二ヒータ4bはＯＦＦとなっているために、その周辺の雰囲気温度の低下度合いは第一ヒータ4aの周辺雰囲気温度に比べて大きくなる(120) 。
【００４１】
そして、第二ヒータ4b周辺の雰囲気温度が所定温度（ここでは160 ℃）となると、第二サーモスタット5bがＯＮ駆動して第二ヒータ4bは再び通電されて発熱を開始する(130) 。
【００４２】
この繰り返しを行いながら温度制御が行われ、しかも、この間は第一ヒータ4aは常に発熱しているので、最適な温度帯（この場合は190 ℃前後となる）において良好な遠赤外線の照射が行える。
【００４３】
したがって、使用者は何ら違和感を覚えることなく治療を続けることができ、かつ、第二ヒータ4bはＯＦＦ時間があるので消費電力を節約でき、省エネルギーを図ることができる。
【００４４】
また、本発明は、上記複数の発熱源の各消費電力を異ならせたことにも特徴がある。
【００４５】
さらに、ヘッドケーシング２を90°回動させて縦長状にして使用する場合、上下方向に配設した複数の発熱源の各消費電力を、上方の発熱源よりも下方の発熱源が小さくなるように設定したことにも特徴を有する。
【００４６】
すなわち、この場合の実施例では、第二ヒータ4bよりも第一ヒータ4aの消費電力を小さくしており、例えば、第一ヒータ4aを80Ｗ、第二ヒータ4bを100 Ｗとしている。また、第一、第二サーモスタット5a,5b は、共に180 ℃を駆動温度に設定し、180 ℃を検知すると通電を遮断し、また、共に160 ℃を検知すると再び通電を開始する設定としている。
【００４７】
このように、第一、第二ヒータ4a,4b の消費電力を上記のように異ならせたことにより、第一、第二ヒータ4a,4b がＯＦＦとなる時間を交互に設定することが可能となり、常にいずれかのヒータが発熱を行っているので、使用者は何ら違和感なく温熱治療を行うことができる。
【００４８】
しかも、第一、第二ヒータ4a,4b ともにＯＦＦ時間があるのでその分消費電力を節約することができ省エネルギーを図ることができる。
【００４９】
また、第一、第二ヒータ4a,4b を上下方に位置させて使用する場合、下方の第一ヒータ4aの消費電力が小さいので、消費電力の大きな上方の第二ヒータ4bが下方の第一ヒータ4aよりも早くサーモスタットの駆動温度である180 ℃に達することになり、確実に先に通電が遮断される。
【００５０】
他方、熱は上昇するので、上側の第二ヒータ4bが先に遮断されても、下側の第一ヒータ4aの発熱により第二ヒータ4bのＯＦＦによる温度低下を補完することができ、全体的に略均等な発熱温度にできる。
【００５１】
本実施例を、図１０を参照しながら説明する。なお、図１０においても、ａは第一ヒータ4aの周辺雰囲気温度、ｂは第二ヒータ4bの周辺雰囲気温度を示している。
【００５２】
図１０において、赤外線治療器Ａのタイマスイッチ32をＯＮとした場合、第一、第二ヒータ4a,4b は発熱を開始する(200) が、消費電力を異ならせているために、温度上昇の勾配が異なり、第二ヒータ4bの傾きが大きくなっている。
【００５３】
したがって、第二ヒータ4bの周辺雰囲気温度が先に180 ℃に達し(210) 、第二サーモスタット5bが作動して第二ヒータ4bへの通電を遮断しＯＦＦとする(220) 。
【００５４】
第二ヒータ4bの周辺雰囲気温度は徐々に低下していくが(230) 、この間、第一ヒータ4aはまだ発熱しており、第二ヒータ4bが略160 ℃程度にで下降した頃にその周辺雰囲気温度が180 ℃に達し(240) 、第一サーモスタット5aが作動して第一ヒータ4aへの通電を遮断しＯＦＦとする(250) 。
【００５５】
一方、第二サーモスタット5bは、第二ヒータ4bの周辺雰囲気温度が160 ℃になったことを検知して第二ヒータ4bに再び通電し(260) 、その周辺雰囲気温度が上昇していく(270) 。
【００５６】
第一ヒータ4aも第二ヒータ4bに遅れながらも同様に再び通電が開始され(280) 、その周辺雰囲気温度が上昇していく(290) 。
【００５７】
この繰り返しを行いながら温度制御を行うことにより、最適な温度帯（この場合は170 ℃前後となる）において良好な遠赤外線の照射を行うことができる。
【００５８】
しかも、第一、第二ヒータ4a,4b は交互にＯＦＦとなるので、使用者は何ら違和感を覚えることなく治療を続けることができ、かつ、各ヒータ4a,4b の消費電力を節約でき、省エネルギーを図ることができる。
【００５９】
また、第一、第二ヒータ4a,4b を上下方に位置させて使用した場合は、下方の第一ヒータ4aの消費電力が小さいので、消費電力の大きな上方の第二ヒータ4bへの通電が確実に先に切断される。
【００６０】
しかも、このように先にＯＦＦとなる第二ヒータ4bの温度低下は、発熱中の下方の第一ヒータ4aの熱が上昇してこれを補完するので、全体的に略均等な発熱温度となる。
【００６１】
また、本発明は、照射始期は、同時に複数の発熱源に通電し、所定温度に達するといずれかの発熱源への通電を切断するようにしたことにも特徴を有するものである。
【００６２】
通常、ヒータが単式であれば、100 Ｗの消費電力のヒータを使用する場合はそれに見合った面積の赤外線プレート12を使用するが、同面積の赤外線プレート12に対して、この場合は、図１１に示すように、共に消費電力100 Ｗの第一、第二ヒータ4a,4b を並設している。したがって、図１１に示す実施例の赤外線プレート12の面積は、先の実施例で説明した繭型の赤外線プレート12の約半分となっている。
【００６３】
上記構成において、タイマスイッチ32をＯＮとした場合に、遠赤外線を良好に照射できる設定温度（例えば170 〜200 ℃）までは両ヒータ4a,4b を同時に通電して200 Ｗの能力で発熱し、上記所定の設定温度に達したときにいずれか一方のヒータをＯＦＦにして100 Ｗで温度制御するようにしている。
【００６４】
かかる制御によれば、設定温度までの立上がりが早くなり、その分通電時間も短くなるとともに、設定温度に達すると、一方のみが通電されることになるので、消費電力が少なくなり省エネルギーの目的を果たすことができる。
【００６５】
一方、使用者にとっては、タイマスイッチ32をＯＮ投入してから患部が暖まるまでの時間が短くなるので使い勝手が良好となる。
【００６６】
なお、この場合においても、第一、第二ヒータ4a,4b を上下方に位置させて使用する場合は、上側となる第二ヒータ4bをＯＦＦすることが好ましい。
【００６７】
ここで、本赤外線治療器Ａのその他の構成について詳述する。
【００６８】
図６において、６は安全スイッチであり、本赤外線治療器Ａが通電中に持ち上げられたり、傾いたりした際に通電を停止する安全機構である。
【００６９】
同安全スイッチ６は、下方へ付勢された状態で取付けられており、台座部30内に押し込まれた状態では回路を閉じているが、付勢力により台座部30から下方へ突出すると回路を開いて通電を停止するものである。
【００７０】
また、同安全スイッチ６は、図１２に示すように、スタンド本体３の台座部30の裏面中央に取付けられている。
【００７１】
したがって、いかなる方向への傾きにも即座に作動することになり安全性が高まる。図６及び図１２中、28は導線であり、ヘッドケーシング２側とは前記フレキシブル連結杆８の内部を通って接続されている。なお、同導線28のヘッドケーシング２内部に露出する部分をモールドしてもよく、この場合は確実に絶縁することができ、例えば、洗面所などの水回りにおいても安全に使用することができる。
【００７２】
また、図６において、23a は前述した外側の空気孔23の列の内周側縁部に設けた指挿入防止用リブであり、発熱源１に向けて全周にわたり突設している。
【００７３】
これにより、子供などが空気孔23から指を突っ込んだりしても指が奥まで挿入されず、火傷などの事故を防止することができ、さらには、空気孔23から侵入した埃が指挿入防止用リブ23a の上面に邪魔されてヘッドケーシング２の内部に溜まることがない。
【００７４】
また、図６中、36は台座部30の裏面に設けた脚座であり、表面には滑り止め用の材料が貼設されている。37は電気プラグである。
【００７５】
さらに、図１２において、７は台座部30内に配設した基板であり、抵抗71やダイオード72を設けている。
【００７６】
また、Ｊは錘体であり、支柱31を、台座部30のやや後側で偏心させた位置に突設し、同支柱31と台座部30の中心を結んだ延長線上に位置するように、台座部30内の前端に配設している。
【００７７】
錘体Ｊを上記個所に配設したことにより、台座部30の重量を大きくして赤外線治療器Ａ全体の安定を保つとともに、例えば、ヘッドケーシング２を後方へ倒した状態で使用してもバランスを保つことができて使用する上での安全性が向上する。
【００７８】
図１３に本赤外線治療器Ａの回路図を示しており、図中、一点鎖線で囲った部分はヘッドケーシング２内に収容配設され、他は台座部30内に配設されている。
【００７９】
なお、25,25 は温度ヒューズである。
【００８０】
なお、上記してきた実施例では、ヘッドケーシング２を軸廻りに回動自在として第一、第二ヒータ4a,4b を左右に位置させたり、上下方に位置させて使用できるものとしたが、ヘッドケーシング２を回動自在な構成とせず、第一、第二ヒータ4a,4b が上下方位置に固定されたものであってもよい。
【００８１】
また、発熱源１としては赤外線ランプであっても構わない。
【００８２】
【発明の効果】
（１）請求項１記載の本発明では、複数の発熱源が作動中に同時にＯＦＦとなることを可及的に防止でき、使用者に故障による停電と誤解させるおそれがなく、不安感や違和感をもたせることがない。特に、上下方向に配設した複数の発熱源に対応する複数のサーモスタットの各駆動温度を、上方のサーモスタットよりも下方のサーモスタットが高くなるように設定したことにより、赤外線や遠赤外線の照射時に、上方の発熱源がＯＦＦとなっても、下方の発熱源が発熱しているので、その熱が上昇し、上方の温度を補完して全体的に略均等な発熱温度にできる。したがって、その分の消費電力を小さくして省エネルギーが図れる。
【００８３】
また、先ず駆動温度の低い発熱源が先に通電を遮断され、同発熱源が再び発熱することを繰り返し、また、駆動温度の高い発熱源はその周辺雰囲気温度の低下の度合いが小さいので、最適な温度帯で良好な遠赤外線の照射が行える。
【００８４】
さらに、発熱体のＯＦＦ時間により消費電力を節約でき、省エネルギーを図ることができる。
【００８６】
（２）請求項２記載の本発明では、複数の発熱源がＯＦＦとなる時間を交互に設定することが可能となり、常にいずれかの発熱源が発熱を行っているので、使用者は何ら違和感なく温熱治療を行うことができる。特に、上下方向に配設した複数の発熱源の各消費電力を、上方の発熱源よりも下方の発熱源が小さくなるように設定したことにより、下方の発熱源の消費電力が小さいので、消費電力の大きな上方の発熱源が下側の発熱源よりも早く所定温度に達することになり、確実に先に通電が遮断される。他方、熱は上昇するので、上方の発熱源が先に遮断されても、下方の発熱源の発熱により上方の温度低下を補完することができ、全体的に略均等な発熱温度にできる。
【００８７】
また、複数の発熱源は共にＯＦＦ時間があるのでその分消費電力を節約することができ省エネルギーを図ることができる。
【図面の簡単な説明】
【図１】本発明に係る複数発熱源を有する赤外線治療器の斜視図である。
【図２】同正面図である。
【図３】同側面図である。
【図４】同赤外線治療器の発熱源の分解斜視図である。
【図５】同発熱源のヒータ部の分解斜視図である。
【図６】本赤外線治療器の断面視による説明図である。
【図７】コネクタの説明図である。
【図８】ヘッドケーシングを縦向きにした状態を示す側面図である。
【図９】本発明の温度制御の一形態を示すグラフである。
【図１０】本発明の温度制御の一形態を示すグラフである。
【図１１】他の実施例に係る発熱源の説明図である。
【図１２】台座部内部の説明図である。
【図１３】本赤外線治療器の回路図である。
【符号の説明】
Ａ  赤外線治療器
１  発熱源
２  ヘッドケーシング
３  スタンド本体
４  ヒータ部
4a  第一ヒータ
4b  第二ヒータ
5a  第一サーモスタット
5b  第二サーモスタット
【図１】
0004125389.tif 000002
【図２】
0004125389.tif 000003
【図３】
0004125389.tif 000004
【図４】
0004125389.tif 000005
【図５】
0004125389.tif 000006
【図６】
0004125389.tif 000007
【図７】
0004125389.tif 000008
【図８】
0004125389.tif 000009
【図９】
0004125389.tif 000010
【図１０】
0004125389.tif 000011
【図１１】
0004125389.tif 000012
【図１２】
0004125389.tif 000013
【図１３】
0004125389.tif 000014